(57)【要約】【課題】  内輪と玉と外輪が容易に分離しない非分離構造とし、更に、分解する場合には保持器に損傷を与えることがなく、保持器を再利用できる複列玉軸受を提供する。【解決手段】  内輪２の肩部１２は、軸方向内側に形成された第１の肩部１３と、第１の肩部１３より小径で軸方向外側に形成された第２の肩部１４とを備えた段差部を有し、樹脂リング７の内周縁部７Ｂは第２の肩部１４と対向し、内周縁部７Ｂの内径寸法は、第１の肩部１３の外径寸法より小さい。【選択図】      図１
2005331046.tif 000002
【特許請求の範囲】
【請求項１】
外周面に１列の軌道溝をそれぞれ有する一対の内輪と、内周面に２列の軌道溝を有する外輪と、前記一対の内輪と前記外輪との前記両軌道溝間に複列に配置された複数の玉と、前記各列の玉を円周方向に等間隔に保持する一対の保持器と、前記外輪の両端部の内周面に装着された一対の樹脂リングとを備え、
前記内輪の肩部は、軸方向内側に形成された第１の肩部と、該第１の肩部より小径で軸方向外側に形成された第２の肩部とを備えた段差部を有し、
前記樹脂リングの内周縁部は前記第２の肩部と対向し、該内周縁部の内径寸法は、前記第１の肩部の外径寸法より小さいことを特徴とする複列玉軸受。
【発明の詳細な説明】
【技術分野】
【０００１】
本発明は、複列玉軸受に関し、特に、自動車のトランスミッション、オートマチックトランスミッション、ベルトＣＶＴ、トランスファー等の変速機に使用される複列玉軸受に関する。
【背景技術】
【０００２】
例えば、自動車のトランスミッションは、エンジンからの動力を伝達するためのギアを有しており、ギアの噛み合いにより発生する荷重は、回転する軸を介して軸受に負荷されている。このような荷重を負荷して軸の回転を円滑に支持する軸受として、背面組合せ形の複列玉軸受が広く実用化されている。
【０００３】
図４に示すように、背面組合せ形の複列玉軸受１００は、外周面に１列の軌道溝をそれぞれ有する一対の内輪１０１，１０１と、内周面に２列の軌道溝を有する外輪１０２と、一対の内輪１０１，１０１と外輪１０２との両軌道溝間に複列に配置された複数の玉１０３と、各列の玉１０３を円周方向に等間隔に保持する一対の保持器１０４，１０４とを備えている。
【０００４】
外輪１０２は、止め輪１０５によって位置決めされることでハウジング１０６に固定されている。また、一対の内輪１０１，１０１は、複列玉軸受１００がラジアル荷重を負荷したときに発生するアキシャル方向の分力により、複列玉軸受１００から分離しようとするため、ナット１０７を締め付けることで、回転軸１０８に固定するとともに適正な予圧を付与している。このように、一対の内輪１０１，１０１を有する複列玉軸受１００を用いることで、トランスミッションの小型化及び軽量化が図られている。
【０００５】
一般的に、このような内輪２つ割れの複列玉軸受の場合、構造上、容易に内輪が外輪、玉及び保持器と分離するようになっているため組み付け作業や分解作業に手間がかかることがあった。これを解決するために保持器に突起を設けて、外輪または内輪と保持器とが分離しないようにした転がり軸受が知られており（例えば、特許文献１参照。）、図４に示された複列玉軸受１００においても、保持器１０４，１０４は、組み付け作業や分解作業時に保持器１０４，１０４が内輪１０１，１０１と分離しないように内輪１０１，１０１と係合する突起１０９，１０９を有している。
【０００６】
また、その他の一般的な非分離の方法として、内輪の内径に樹脂製の部品（連結管）を軽圧入したり、針金状のバンドや紐で一対の内輪を結わえたりすることが知られている。
【０００７】
さらに、一方の周縁部を内輪と外輪とのうちの一方の軌道輪の一部に係止するとともに、他方の周縁部を内輪と外輪のうちの他方の軌道輪の一部に摺接させた、合成樹脂製の密封板を備えるトランスミッション用密封板付き転がり軸受が知られている。（例えば、特許文献２，３参照。）。
【特許文献１】米国特許第３６４９０９４号明細書（第１−３欄、第１−３図）
【特許文献２】特開２００２−２８６０４４号明細書（第５−７頁、第１図）
【特許文献３】特開２００２−３２７７６１号明細書（第４−６頁、第１図）
【発明の開示】
【発明が解決しようとする課題】
【０００８】
ところで、一般的に、複列玉軸受の製造時における検査では、玉を等配に保持し、円滑な回転が遂行できるか否かの検査を行っているが、検査を行った軸受がこの目的を達成するレベルに到達していない場合には、軸受を分解する必要が発生する。この場合、図４に示すような突起１０９，１０９を有する保持器１０４，１０４を使用していると分解によって突起１０９，１０９が損傷する可能性があり、保持器１０４を再利用することができないという問題があった。
【０００９】
また、例えば、複列玉軸受の外径、内径、幅の各寸法と目標とする定格荷重とのバランスから、保持器の突起と内輪に設けられた全周の溝とを係合させて非分離とする図４に示した構造が適用できない場合がある。
【００１０】
本発明は、上記事情に鑑みてなされたものであって、その目的は内輪と玉と外輪が容易に分離しない非分離構造とし、更に、分解する場合には保持器に損傷を与えることがなく、保持器を再利用できる複列玉軸受を提供することにある。
【課題を解決するための手段】
【００１１】
本発明に係る上記課題は、下記構成によって達成される。
（１）  外周面に１列の軌道溝をそれぞれ有する一対の内輪と、内周面に２列の軌道溝を有する外輪と、前記一対の内輪と前記外輪との前記両軌道溝間に複列に配置された複数の玉と、前記各列の玉を円周方向に等間隔に保持する一対の保持器と、前記外輪の両端部の内周面に装着された一対の樹脂リングとを備え、
前記内輪の肩部は、軸方向内側に形成された第１の肩部と、該第１の肩部より小径で軸方向外側に形成された第２の肩部とを備えた段差部を有し、
前記樹脂リングの内周縁部は前記第２の肩部と対向し、該内周縁部の内径寸法は、前記第１の肩部の外径寸法より小さいことを特徴とする複列玉軸受。
【発明の効果】
【００１２】
本発明の複列玉軸受によれば、内輪の肩部は、軸方向内側に形成された第１の肩部と、第１の肩部より小径で軸方向外側に形成された第２の肩部とを備えた段差部を有し、外輪の内周面に装着された樹脂リングの内周縁部は第２の肩部と対向し、内周縁部の内径寸法は、第１の肩部の外径寸法より小さくなっているため、内輪が軸方向に動こうとしても外輪が樹脂リングを介して内輪を係止できるようになっている。従って、内輪と玉と外輪が容易に分離しない非分離構造とし、更に、分解する場合には保持器に損傷を与えることがなく、保持器を再利用することができる。
【発明を実施するための最良の形態】
【００１３】
以下、本発明の一実施形態に係る複列玉軸受について図面を参照して説明する。図１は本発明の一実施形態に係る複列玉軸受を説明するための断面図である。図１に示すように本実施形態の複列玉軸受１は、ハウジング２０内に設けられ、回転軸２３を回転自在に支持しており、潤滑剤が浸漬された状態で使用されている。
【００１４】
複列玉軸受１は、外周面に１列の軌道溝をそれぞれ有する一対の内輪２，２と、内周面に２列の軌道溝を有する外輪３と、一対の内輪２，２と外輪３との両軌道溝間に複列に配置された複数の玉４と、各列の玉４を円周方向に等間隔に保持する一対の保持器６，６と、外輪３の両端部の内周面に装着された一対の樹脂リング７，７とを備えている。
【００１５】
一対の内輪２，２は、互いのカウンタボア側端面を当接させた状態で回転軸２３に外嵌される。そして、一方の内輪２の反カウンタボア側端面を、ナット９で締め付けることで、一対の内輪２，２は回転軸２３に固定され、また、複列玉軸受１に適正な予圧を付与している。
【００１６】
図２に示すように、内輪２，２の互いの反カウンタボア側端面における肩部１２，１２は、それぞれ軸方向内側に形成された第１の肩部１３と、第１の肩部１３より小径で軸方向外側に形成された第２の肩部１４と、第１の肩部１３と第２の肩部１４との間に形成された内側壁１５とを備えた段差部を有している。
【００１７】
また、外輪３の軸方向中間部の外周面には、円周方向に亘って円環状溝５が形成されており、ハウジング２０側に係合された止め輪８が円環状溝５内に嵌まり込むことで外輪３をハウジング２０に位置決め固定している。
【００１８】
樹脂リング７，７は、例えば、ポリアミド系樹脂によって略円盤状に形成されており、外周縁部７Ａを外輪３の両端部の内周面に形成された周溝１７内に係止することで外輪３に装着される。また、樹脂リング７の内周縁部７Ｂは、第２の肩部１４と対向し、内周縁部７Ｂの内径寸法Ｄ１が、第１の肩部１３の外径寸法Ｄ２より小さくなるように、段差部の近傍に配置されている。
【００１９】
従って、ナット９を緩めて回転軸２３を内輪２，２から外した場合に、内輪２が軸方向に動こうとしても、樹脂リング７，７の内周縁部７Ｂが内輪２の第１の肩部１３を係止して、内輪２，２と外輪３と玉４とが分離することを防止する。
【００２０】
また、複列玉軸受１を分解する場合には、樹脂リング７，７を外輪３から取り外すことにより、保持器６，６に損傷を与えずに内輪２と外輪３と玉４とを分解することができ、複列玉軸受１を再度組み立てる場合でも、保持器６，６を再利用することができる。
【００２１】
また、例えば複列玉軸受の外径、内径、幅の各寸法と目標とする定格荷重とのバランスから、保持器の突起と内輪に設けた全周の溝を嵌合させて非分離とすることができない場合でも、内輪２を樹脂リング７により非分離とすることができる。
【００２２】
なお、樹脂リング７の内周縁部７Ｂの形状は任意に設計できるが、図３に示すように突起２１を形成してもよい。この突起２１は、内側壁１５に向かって軸方向に延びており、突起２１を含む内周縁部７Ｂも、第２の肩部１４と対向し、内周縁部７Ｂの内径寸法Ｄ１が、第１の肩部１３の外径寸法Ｄ２より小さくなるように、段差部の近傍に配置されている。この場合、突起２１は円周状に形成されてもよく、或いは円周方向に分割して設けられてもよい。
【００２３】
なお、本発明は前述した実施形態に限定されるものではなく、適宜な変形、改良等が可能である。
本実施形態では、外輪と内輪の軸方向の総幅を等しくしているが、異ならせてもよい。また、一対の内輪では、互いに軸方向の幅を等しくしているが、異ならせてもよい。更に、玉は左右対称に配置してもよいし、非対称に配置してもよい。
【図面の簡単な説明】
【００２４】
【図１】本発明の一実施形態に係る複列玉軸受を説明するための断面図である。
【図２】樹脂リングを説明するための拡大断面図である。
【図３】本発明の一実施形態の変形例における樹脂リングを説明するための拡大断面図である。
【図４】従来の複列玉軸受を説明するための断面図である。
【符号の説明】
【００２５】
１            複列玉軸受
２            内輪
３            外輪
４            玉
５            円環状溝
６            保持器
７            樹脂リング
７Ａ          外周縁部
７Ｂ          内周縁部
８            止め輪
９            ナット
１２          肩部
１３          第１の肩部
１４          第２の肩部
１５          内側壁
【図１】
2005331046.tif 000003
【図２】
2005331046.tif 000004
【図３】
2005331046.tif 000005
【図４】
2005331046.tif 000006